(57)【要約】      （修正有）【課題】本考案は、小さく形成した同形状の複数の単体移動荷台によって組み立て可能とした組立式移動荷台を提供する。【解決手段】単体移動荷台１は、四隅にそれぞれ４本の角筒からなる脚柱１１を有する正方形状の荷台からなり、前記荷台側周縁の前記四隅に近接した位置には、複数の係合穴１２が設けられると共に、前記各脚柱１１を構成する４本の角筒の下端面には、係合ほぞ１１１とほぞ穴が交差状態に設けられた構成することで、単体移動荷台１同士が係合ピンにより並列状態に組み立てられ、組立式移動荷台１０の大きさ形状を変化させることができる。また、単体移動荷台１の脚柱１１同士を互いに係合することで、両面使用態様の組立式移動荷台１０が構成される。【選択図】図４
0003119576.tif 000002
【実用新案登録請求の範囲】
【請求項１】
単体移動荷台は、四隅角にそれぞれ４本の角筒からなる脚柱を有する正方形状の荷台からなり、前記荷台側周縁の前記四隅に近接した位置には、複数の係合穴が設けられており、前記単体移動荷台は、同一形状に形成された他の単体移動荷台と係合ピンを介して並列状態に連結して互いに組み立てられるようにしたことを特徴とする組立式移動荷台。
【請求項２】
前記各脚柱は４本の角筒により構成され、各角筒の下端面には係合ほぞとほぞ穴が交差状態に設けられ、前記単体移動荷台は、同一形状に形成された他の単体移動荷台と互いの係合ほぞとほぞ穴同士とを連結することで、両面使用態様の組立式移動荷台が構成されることを特徴とする請求項１に記載の組立式移動荷台。
【請求項３】
前記各係合穴は、奥部に向かって収束する段差部を有し、かつ前記各係合穴に係合する係合ピンは、中央部に係合突縁が突設されると共に、長手方向の左右両側には弾力性を有する係合フックが設けられており、前記係合ピンが、均一的に二つの単体移動荷台の係合穴にそれぞれ嵌合結合されるようにしたことを特徴とする請求項１又は２に記載の組立式移動荷台。
【考案の詳細な説明】
【技術分野】
【０００１】
本考案は、単体移動荷台を複数個組み立てて構成した組立式移動荷台に関し、特に、組立式移動荷台を同一形状の小さな単体移動荷台同士を互いに組み立てて構成し、組立式移動荷台の大きさや形状に変化を持たせることが出来るようにしたもので、前記単体移動荷台の４隅角には、それぞれ脚柱を有し、平面部は正方形状の荷台が設けられ、荷台側周縁には複数の係合穴が設けられ、また、各脚柱には、下端面にそれぞれ交差状態に配設した係合ほぞとほぞ穴が設けられた構成とし、単体移動荷台同士を、係合ピンと脚柱により組立てられることにより、安定的に分離可能に結合され、保管が容易であると共に、小さい金型で成形した単体移動荷台同士を結合することで大型の移動荷台とすることができ、金型が大幅に縮小されてコストを低減することができるようにした組立式移動荷台を提供する。
【背景技術】
【０００２】
既存の一般の移動荷台（荷台パレット）の構成は、主として一体構成の移動荷台であるために荷台の大きさが所定のサイズであり、所定サイズの移動荷台では積み重ねることのできる荷物の量も定まってしまい、荷物を積み重ねられる移動荷台の面積も限られてしまう。また逆に、載置される荷物が小さいものである場合、荷物に合わせて前記移動荷台のサイズを縮小することができず、一体構成の移動荷台は実用的ではないという問題点がある。
【０００３】
また、従来の組立式の移動荷台の構成においても、組立式構成の設計を強調しているが、このような従来構成は、組み立て時における生産方式の改良に関するものであり、移動荷台それ自体のサイズを変形するための設計ではないため、使用者にとっては従来の組立式移動荷台は依然として一体構成の移動荷台と同様で使い勝手が悪く、既存の問題点はいまだ解消されず、改善すべき課題となっている。
【考案の開示】
【考案が解決しようとする課題】
【０００４】
本考案の主な目的は、単体移動荷台同士を、係合ピンと脚柱により組立てられることにより、安定的に分離可能に結合され、保管が容易であると共に、小さい金型で成形した単体移動荷台同士を結合することで大型の移動荷台とすることができ、金型が大幅に縮小されてコストを低減することができるようにした組立式移動荷台を提供することにある。
【課題を解決するための手段】
【０００５】
本考案の請求項１に係る組立式移動荷台は、単体移動荷台は、四隅角にそれぞれ４本の角筒からなる脚柱を有する正方形状の荷台からなり、前記荷台側周縁の前記四隅に近接した位置には、複数の係合穴が設けられており、前記単体移動荷台は、同一形状に形成された他の単体移動荷台と係合ピンを介して並列状態に連結して互いに組み立てられるようにしたことを特徴とする。
【０００６】
請求項２の考案は、請求項１に記載の組立式移動荷台において、前記各脚柱は４本の角筒により構成され、各角筒の下端面には係合ほぞとほぞ穴が交差状態に設けられ、前記単体移動荷台は、同一形状に形成された他の単体移動荷台と互いの係合ほぞとほぞ穴同士とを連結することで、両面使用態様の組立式移動荷台が構成されることを特徴とする。
【０００７】
請求項３の考案は、請求項１または２に記載の組立式移動荷台において、前記各係合穴は、奥部に向かって収束する段差部を有し、かつ前記各係合穴に係合する係合ピンは、中央部に係合突縁が突設されると共に、長手方向の左右両側には弾力性を有する係合フックが設けられており、前記係合ピンが、均一的に二つの単体移動荷台の係合穴にそれぞれ嵌合結合されるようにしたことを特徴とする。
【考案の効果】
【０００８】
本考案は前記の構成とすることで、次の効果が得られる。
本考案に係わる小さい形状の単体移動荷台は、単一でも荷物が積み重ねられる小さい面積を提供できる設計であり、スペースが狭い場合、有限な貯蔵空間を十分に発揮できる効果が得られる。
また、小さい形状の単体移動荷台同士を係合ピンを介して組み合わせることにより、荷台の面積を倍増することができ（２つの小さい移動荷台により長方形の移動荷台が構成されるか、４つあるいはそれ以上の数の小さい移動荷台を組み合わせることにより、大きい面積の移動荷台が構成される）、これにより、積み重ねられる荷物の量や嵩に応じて面積を調整する目的が達成され、また、フォークリフトの大きさに応じて運搬量を増加することで、より柔軟的に適用できる。
【０００９】
そして、本考案に係わる単体移動荷台は、各脚柱の下端面に、交差状態に設置した係合ほぞとほぞ穴がにより、各脚柱が対向して係合することにより両面使用態様の組立式移動荷台が形成され、これにより、移動荷台の高さが増加され、移動荷台を地面に設置した場合より安定的である効果が得られる。
【考案を実施するための最良の形態】
【００１０】
以下、図面を参照しながら、本考案を実施するための最良の形態の実施例を挙げて、本詳細に説明する。
【実施例】
【００１１】
本考案は、組立式移動荷台に係り、前記組立式移動荷台１０は、小さく成形した同形状の複数の単体移動荷台１を互いに係合ピン２によって連結して組み立てることで（図１、図２を参照）構成される。
前記単体移動荷台１は、四隅角にそれぞれ設けられた脚柱１１を有する正方形状の荷台で構成され、荷台の側周縁には複数の係合穴１２が設けられている。また、各脚柱１１は４本の角筒により構成され、各角筒の下端面には係合ほぞとほぞ穴が交差状態に設けられ、単体移動荷台同士の係合ほぞとほぞ穴とを互いに連結可能としている（図３参照）。
【００１２】
上記単体移動荷台１の構成は、前記単体移動荷台１の主体に複数の脚柱１１を有する正方形状の荷台が設けられた設計であるため、１個の単体移動荷台１だけでも、荷物を積み重ねることができる。
【００１３】
また、実際の使用状況に応じて、単体移動荷台１を２つ並列して接合し、係合ピン２の両端をそれぞれ２つの単体移動荷台１の対応する係合穴１２に嵌合することにより（図４のように）、２つの単体移動荷台１同士が組み合わされることで、長方形状の組み立て移動荷台１０になる。
【００１４】
また、単体移動荷台１を４個、係合ピン２を介して組み合わせて、より大きい面積を有する組み付け移動荷台１０が形成されるし、実際の使用状態に応じて、Ｌ字形状の移動荷台１０にも組み立てられることができ、大型フォークリフトを使用する場合などに応じて運搬量が向上される。故に、組立式移動荷台１０の使用効率も向上される（図５参照）。
【００１５】
また、本考案において、単体移動荷台１の係合穴１２は、奥部の開口が収束する段差設計を有し、係合ピン２の構成は、その中央に係合突縁２１が突出され、長手方向の左右両側に弾力性を持たせた係合フック２２が設けられている。これにより、係合ピン２が２つの単体移動荷台１の係合穴１２に均一に嵌合されて、単体移動荷台１同士が安定して連結される。しかも係合力が均一ではない構成になっているために、嵌合状態が容易に分離して脱落してしまうというような問題を防止することができる。
【００１６】
そして、本考案においては、単体移動荷台１の各脚柱１１の角筒の下端面には、それぞれ交差状態に係合ほぞ１１１とほぞ穴１１２が設置されており、これにより、２つの単体移動荷台１のそれぞれの脚柱１１が対向すると、互いにそれぞれの係合ほぞ１１１が、対応するほぞ穴１１２に係合され連結可能となり（図６のように）、両面使用可能な態様の移動荷台１０を構成することができる。これにより、組立式移動荷台１０の高さが増加されると共に、組立式移動荷台１０を地面に安定的に設置する効果が得られる。
【図面の簡単な説明】
【００１７】
【図１】本考案に係わる組立式移動荷台の実施例を示す単体移動荷台を示す斜視図。
【図２】本考案に係わる係合穴と係合ピンを示す概略説明図。
【図３】本考案に係わる単体移動荷台の脚柱が係合される状態の概略説明図。
【図４】本考案の組立式移動荷台における単体移動荷台の組み付け状態を示す斜視図。
【図５】本考案の組立式移動荷台の組み立て状態を示す斜視図。
【図６】本考案の単体移動荷台を上下に重ねた状態で組み立てられた状態の要部断面図。
【符号の説明】
【００１８】
１        単体移動荷台
１０      組立式移動荷台
１１      脚柱
１１１    係合ほぞ 
１１２    ほぞ穴
１２      係合穴
２        係合ピン
２１      係合突縁
２２      係合フック
【図１】
0003119576.tif 000003
【図２】
0003119576.tif 000004
【図３】
0003119576.tif 000005
【図４】
0003119576.tif 000006
【図５】
0003119576.tif 000007
【図６】
0003119576.tif 000008